(57)【要約】  利用者に意図する情報を入力させることができる情報処理装置、入力モード適正化方法および入力モード適正化プログラムを提供することを課題とする。この課題を解決するために、文字列などの情報に対して削除操作が繰り返し行われた場合に、かかる削除操作が行われた回数が所定の削除操作閾値よりも大きいか否かを判定し、削除操作が行われた回数が所定の削除操作閾値よりも大きい場合に、現在の入力モードが利用者によって所望されていない入力モードであると判定して、入力モードを切り替える。
2010082295.tif 000002
【特許請求の範囲】
【請求項１】
第一の文字または第二の文字を入力するためのキーと、前記キーに割り当てる情報を前記第一の文字または前記第二の文字のいずれかに切り替えるための制御キーとを含む入力部と、
前記制御キーが操作されたことによって前記キーに割り当てる情報が前記第二の文字に切り替えられている状態において、前記キーが操作されたことによって入力された文字を削除する操作である削除操作を受け付けた場合に、前記キーに割り当てられている情報が誤りであると判定する判定手段と、
前記判定手段によって前記キーに割り当てられている情報が誤りであると判定された場合に、前記キーに割り当てる情報を前記第一の文字に変更する変更手段と
を備えたことを特徴とする情報処理装置。
【請求項２】
前記判定手段は、前記削除操作を受け付けた回数が所定の閾値以上である場合に、前記キーに割り当てられている情報が誤りであると判定することを特徴とする請求項１に記載の情報処理装置。
【請求項３】
前記判定手段によって前記キーに割り当てられている情報が誤りであると判定された場合に、前記キーに割り当てる情報を前記第一の文字に変更するか否かを利用者に対して確認する確認手段をさらに備え、
前記変更手段は、前記確認手段によって前記キーに割り当てる情報を前記第一の文字に変更することが確認された場合に、前記キーに割り当てる情報を前記第一の文字に変更することを特徴とする請求項１または２に記載の情報処理装置。
【請求項４】
前記変更手段は、前記キーに割り当てる情報を前記第一の文字に変更する処理を、所定の期間内に所定の回数以上行った場合に、前記所定の閾値を小さくすることを特徴とする請求項２に記載の情報処理装置。
【請求項５】
前記制御キーは、ＮｕｍＬｏｃｋキーまたはＣａｐｓＬｏｃｋキーのいずれかであることを特徴とする請求項１に記載の情報処理装置。
【請求項６】
第一の文字または第二の文字を入力するためのキーと、前記キーに割り当てる情報を前記第一の文字または前記第二の文字のいずれかに切り替えるための制御キーとを含む入力部を有する情報処理装置による入力モード適正化方法であって、
前記情報処理装置が、
前記制御キーが操作されたことによって前記キーに割り当てる情報が前記第二の文字に切り替えられている状態において、前記キーが操作されたことによって入力された文字を削除する操作である削除操作を受け付けた場合に、前記キーに割り当てられている情報が誤りであると判定する判定工程と、
前記判定工程によって前記キーに割り当てられている情報が誤りであると判定された場合に、前記キーに割り当てる情報を前記第一の文字に変更する変更工程と
を含んだことを特徴とする入力モード適正化方法。
【請求項７】
第一の文字または第二の文字を入力するためのキーと、前記キーに割り当てる情報を前記第一の文字または前記第二の文字のいずれかに切り替えるための制御キーとを含む入力部を有する情報処理装置に実行させる入力モード適正化プログラムであって、
前記制御キーが操作されたことによって前記キーに割り当てる情報が前記第二の文字に切り替えられている状態において、前記キーが操作されたことによって入力された文字を削除する操作である削除操作を受け付けた場合に、前記キーに割り当てられている情報が誤りであると判定する判定手順と、
前記判定手順によって前記キーに割り当てられている情報が誤りであると判定された場合に、前記キーに割り当てる情報を前記第一の文字に変更する変更手順と
を有することを特徴とする入力モード適正化プログラム。
【発明の詳細な説明】
【技術分野】
【０００１】
本発明は、情報処理装置、入力モード適正化方法および入力モード適正化プログラムに関する。
【背景技術】
【０００２】
一般に、パーソナルコンピュータなどの情報処理装置を操作するためのキーボードは、情報（文字）を入力するためのキーと、かかるキーに割り当てる情報を切り替えるためのキー（以下、「制御キー」という）とを有する。制御キーの例としては、「ＮｕｍＬｏｃｋキー」や、「ＣａｐｓＬｏｃｋキー」、「半角／全角漢字キー」、「カタカナひらがなローマ字キー」などがある。なお、以下では、各キーに所定の情報が割り当てられている状態を「入力モード」と呼ぶこととする。例えば、ＮｕｍＬｏｃｋキーが押下されることによって切り替えられる入力モードは、ＮｕｍＬｏｃｋ「ＯＮ」と「ＯＦＦ」の２種類である。【０００３】
例えば、ノートパソコン（「ラップトップパソコン」とも呼ばれる）のように、テンキーを有しないキーボードの場合、ＮｕｍＬｏｃｋ「ＯＮ」である場合、キー「Ｊ」に情報「１」が割り当てられ、キー「Ｋ」に情報「２」が割り当てられる。これにより、テンキーを有しないキーボードであっても、テンキーを有するキーボードと同等の機能を実現している。【０００４】
ところで、近年では、上述したような入力モードを自動的に切り替える技術が提案されている。例えば、ワードプロセッサにおいて、カーソルを所定の文字に移動させた場合に、シフト状態をカーソルが指し示す文字が入力された状態に戻す技術が提案されている。【０００５】
【特許文献１】特開昭６１−２４３５１９号公報
【特許文献２】特開昭５９−００８０４４号公報
【特許文献３】特開２０００−２３１４３９号公報
【発明の開示】
【発明が解決しようとする課題】
【０００６】
しかしながら、上述した従来の情報処理装置には、利用者が意図する情報を入力することができなくなるおそれがあるという問題があった。【０００７】
具体的には、利用者は、情報処理装置を操作している際に誤って制御キーを操作してしまうことがある。このような場合、利用者は、所定のキーを押下しても意図する情報を入力することができなくなる。例えば、ノートパソコンにおいて、ＮｕｍＬｏｃｋキーが押下されてＮｕｍＬｏｃｋの入力モードがＯＮになった場合、キー「Ｊ」が押下されても情報「Ｊ」が入力されずに情報「１」が入力される。【０００８】
情報処理装置の操作に慣れていない利用者は、制御キーの存在や、制御キーの操作手法（制御キーとＣｔｒｌキーとを同時に押下するなどの手法）を知らない場合が多い。このため、このような利用者は、誤って制御キーを操作した後に、再度制御キーを操作して各キーに割り当てる情報を元に戻すことができない場合がある。このような場合、かかる利用者は、自身が意図する情報を入力することができなくなり、困惑してしまう。【０００９】
なお、「ＮｕｍＬｏｃｋキー」や、「ＣａｐｓＬｏｃｋキー」等の制御キーは、一般に、使用される頻度が低いため、情報処理装置の操作に慣れている利用者であっても、かかる制御キーの存在や、操作手法を知らない場合もある。よって、情報処理装置の操作にやや慣れている利用者であっても、自身が意図する情報を入力することができない状況に陥る可能性は高い。【００１０】
この種の問題は、上述した入力モードを自動的に切り替える技術を用いても解決することができない。これは、上記従来技術は、入力モードを、カーソルが指し示す入力情報に対応する入力モードに切り替える技術であり、利用者に所望されている入力モードに切り替えることができるとは限らないからである。【００１１】
開示の技術は、上述した従来技術による問題点を解消するためになされたものであり、利用者に意図する情報を入力させることができる情報処理装置、入力モード適正化方法および入力モード適正化プログラムを提供することを目的とする。
【課題を解決するための手段】
【００１２】
上述した課題を解決し、目的を達成するために、本願に開示する情報処理装置は、第一の文字または第二の文字を入力するためのキーと、前記キーに割り当てる情報を前記第一の文字または前記第二の文字のいずれかに切り替えるための制御キーとを含む入力部と、前記制御キーが操作されたことによって前記キーに割り当てる情報が前記第二の文字に切り替えられている状態において、前記キーが操作されたことによって入力された文字を削除する操作である削除操作を受け付けた場合に、前記キーに割り当てられている情報が誤りであると判定する判定手段と、前記判定手段によって前記キーに割り当てられている情報が誤りであると判定された場合に、前記キーに割り当てる情報を前記第一の文字に変更する変更手段とを備えたことを要件とする。【００１３】
なお、本願に開示する情報処理装置の構成要素、表現または構成要素の任意の組合せを、方法、装置、システム、コンピュータプログラム、記録媒体、データ構造などに適用したものも、他の態様として有効である。
【発明の効果】
【００１４】
本願に開示した情報処理装置によれば、入力モードを利用者が所望する状態に適正化することができる。
【図面の簡単な説明】
【００１５】
【図１】図１は、実施例１に係る情報処理装置の外観図である。
【図２】図２は、実施例１に係る情報処理装置の構成を示す図である。
【図３−１】図３−１は、ＮｕｍＬｏｃｋがＯＦＦである場合における入力情報の一例を示す図である。
【図３−２】図３−２は、ＮｕｍＬｏｃｋがＯＮである場合における入力情報の一例を示す図である。
【図４】図４は、入力モードを変更した旨を通知するための画面の一例を示す図である。
【図５】図５は、実施例１に係る情報処理装置による入力モード適正化処理手順を示すフローチャートである。
【図６】図６は、実施例２に係る情報処理装置の構成を示す図である。
【図７】図７は、入力モードを変更するか否かを確認するための画面の一例を示す図である。
【図８】図８は、実施例２に係る情報処理装置による入力モード適正化処理手順を示すフローチャートである。
【図９−１】図９−１は、ＣａｐｓＬｏｃｋがＯＦＦである場合における入力情報の一例を示す図である。
【図９−２】図９−２は、ＣａｐｓＬｏｃｋがＯＮである場合における入力情報の一例を示す図である。
【図１０】図１０は、入力モードを変更した旨を通知するための画面の一例を示す図である。
【図１１】図１１は、入力モードを変更するか否かを確認するための画面の一例を示す図である。
【図１２】図１２は、実施例３に係る情報処理装置によるＣａｐｓＬｏｃｋの入力モード適正化処理手順を示すフローチャートである。
【図１３】図１３は、実施例３に係る情報処理装置による半角全角の入力モード適正化処理手順を示すフローチャートである。
【図１４】図１４は、実施例３に係る情報処理装置による仮名の入力モード適正化処理手順を示すフローチャートである。
【図１５】図１５は、実施例３に係る情報処理装置によるカタカナの入力モード適正化処理手順を示すフローチャートである。
【図１６】図１６は、入力モード適正化プログラムを実行するコンピュータを示す図である。
【符号の説明】
【００１６】
１００、２００、３００  情報処理装置
１１０  表示部
１２０  操作部
１２０ａ  キー群
１２０ｂ  制御キー
１２０ｃ  タッチパッド
１３０  記憶部
１４０、２４０  制御部
１４１  判定部
１４２、２４２  変更部
２４１  確認部
１０００  コンピュータ
１０１０  ＣＰＵ
１０２０  キーボード
１０３０  タッチパッド
１０４０  ディスプレイ
１０５０  媒体読取装置
１０６０  ＲＡＭ
１０６１  入力モード適正化プロセス
１０６２  入力モードデータ
１０７０  ハードディスク装置
１０７１  入力モード適正化プログラム
１０７２  入力モード適正化用データ
１０８０  バス
【発明を実施するための最良の形態】
【００１７】
以下に、本願に開示する情報処理装置、入力モード適正化方法および入力モード適正化プログラムの実施例を図面に基づいて詳細に説明する。なお、この実施例により本願に開示する情報処理装置、入力モード適正化方法および入力モード適正化プログラムが限定されるものではない。例えば、以下の実施例では、本願に開示する情報処理装置をノートパソコンに適用する場合を例に挙げて説明するが、本願に開示する情報処理装置は、ノートパソコン以外のデスクトップ型パソコンや、携帯情報端末等の他の情報処理装置に適用することもできる。
【実施例１】
【００１８】
まず、実施例１では、ＮｕｍＬｏｃｋキーが押下されることによって切り替えられる入力モード（ＮｕｍＬｏｃｋ「ＯＮ」または「ＯＦＦ」）を適正化する情報処理装置１００について説明する。なお、実施例１に係る情報処理装置１００は、テンキーを有しないキーボードが備えられているノートパソコンであるものとする。すなわち、情報処理装置１００は、ＮｕｍＬｏｃｋ「ＯＮ」である場合、上述したように、キー「Ｊ」に情報「１」が割り当てられたり、キー「Ｋ」に情報「２」が割り当てられたりする。【００１９】
実施例１に係る情報処理装置１００は、ＮｕｍＬｏｃｋ「ＯＮ」の状態において、数字などの情報が割り当てられているキーを用いて情報が入力され、かかる入力情報を削除する操作（以下、「削除操作」という）を受け付けた場合に、削除された情報を記憶する。そして、情報処理装置１００は、同一の情報が所定の回数以上連続して削除された場合に、ＮｕｍＬｏｃｋが「ＯＮ」である状態は利用者によって所望されていない入力モードであると判定する。なお、ここで言う「所定の回数」とは、情報処理装置１００の製造者や利用者によって予め決められている所定の閾値である。以下では、かかる所定の閾値を「削除操作閾値」と呼ぶこととする。【００２０】
そして、情報処理装置１００は、ＮｕｍＬｏｃｋ「ＯＮ」が利用者によって所望されていない入力モードであると判定した場合に、入力モードをＮｕｍＬｏｃｋ「ＯＦＦ」に変更して、各キーに割り当てる情報を変更する。【００２１】
例えば、ＮｕｍＬｏｃｋ「ＯＮ」である状態において、利用者によって、キー「Ｊ」を押下されて情報「１」が入力され、かかる情報「１」を削除する操作を繰り返し行われたものとする。かかる場合に、情報処理装置１００は、削除操作が繰り返し行われた回数が削除操作閾値よりも大きいか否かを判定する。そして、情報処理装置１００は、削除操作の回数が削除操作閾値よりも大きい場合に、入力モードをＮｕｍＬｏｃｋ「ＯＦＦ」に変更する。【００２２】
ここで、同一の情報が連続して削除された場合に、ＮｕｍＬｏｃｋ「ＯＮ」が利用者によって所望されていない入力モードであると判定する理由について説明する。一般に、同一の情報が連続して削除される操作は、以下に説明するような操作に該当すると考えられる。【００２３】
１点目の操作は以下の通りである。利用者は、入力したい情報を入力するためのキー以外のキーを誤って押下した場合に、所望しない情報が入力されたので入力情報を削除する。その後、利用者は、前述において削除した情報と同一の情報を再度誤って入力した場合に、再度かかる情報を削除する。このような操作が、同一の情報が連続して削除される操作に該当する。【００２４】
２点目の操作は以下の通りである。利用者は、入力したい情報を入力するためのキーを押下したが、ＮｕｍＬｏｃｋが「ＯＮ」であるために所望の情報が入力されなかったので、入力情報を削除する。その後、利用者は、ＮｕｍＬｏｃｋが「ＯＮ」になっていることに気が付かずに、前述において削除した情報と同一の情報を再度入力した場合に、再度かかる情報を削除する。このような操作も、同一の情報が連続して削除される操作に該当する。【００２５】
上記２点の操作のうち、１点目に示した同一の情報を何度も誤って入力する操作が行われることは考えにくい。したがって、一般的に、２点目に示した操作がなされたと考えられる。これは、利用者によっては、情報処理装置１００の操作に慣れていない場合があり、ＮｕｍＬｏｃｋキーの存在や操作手法を知らない可能性があるからである。また、情報処理装置１００の操作に慣れている利用者であっても、使用頻度の低いＮｕｍＬｏｃｋキーの存在や操作手法を知らない場合もある。【００２６】
そこで、実施例１に係る情報処理装置１００は、同一の情報が連続して削除された場合に、ＮｕｍＬｏｃｋ「ＯＮ」が利用者によって所望されていない入力モードであると判定する。【００２７】
このように、実施例１に係る情報処理装置１００は、ＮｕｍＬｏｃｋ「ＯＮ」である状態において、同一の情報に対して削除操作が繰り返し行われた場合に、ＮｕｍＬｏｃｋ「ＯＦＦ」に変更するので、入力モードを利用者が所望する状態に適正化することができる。すなわち、情報処理装置１００を用いる利用者は、ＮｕｍＬｏｃｋキーの操作手法を知らずに誤ってＮｕｍＬｏｃｋキーを操作してしまった場合であっても、所望の情報を入力することができる。【００２８】
次に、実施例１に係る情報処理装置１００の外観について説明する。図１は、実施例１に係る情報処理装置１００の外観図である。図１に示すように、情報処理装置１００は、ノートパソコンであり、表示部１１０と、操作部１２０とを有する。【００２９】
表示部１１０は、各種情報を表示する表示デバイスであり、例えば、液晶ディスプレイである。操作部１２０は、各種情報や操作指示を入力するための入力デバイスであり、キー群１２０ａと、制御キー１２０ｂと、タッチパッド１２０ｃとを有する。【００３０】
キー群１２０ａは、各種情報を入力するための１以上のキーによって形成され、キー毎に１または複数の情報が割り当てられている。そして、キー群１２０ａ内の各キーは、押下操作されることにより、自身に割り当てられている情報を情報処理装置１００に入力する。【００３１】
制御キー１２０ｂは、キー群１２０ａに割り当てる情報を切り替えるためのキーであり、例えば、「ＮｕｍＬｏｃｋキー」や、「ＣａｐｓＬｏｃｋキー」、「半角／全角漢字キー」、「カタカナひらがなローマ字キー」などである。なお、キー群１２０ａおよび制御キー１２０ｂは、一般に、キーボードと呼ばれる。【００３２】
タッチパッド１２０ｃは、表示部１１０上に表示されるポインタやアイコンを操作するためのポインティングデバイスである。例えば、タッチパッド１２０ｃは、デスクトップ型パソコンにおけるマウスに該当する。【００３３】
次に、実施例１に係る情報処理装置１００の構成について説明する。図２は、実施例１に係る情報処理装置１００の構成を示す図である。図２に示すように、情報処理装置１００は、表示部１１０と、操作部１２０と、記憶部１３０と、制御部１４０とを有する。【００３４】
表示部１１０および操作部１２０は、それぞれ図１に示した表示部１１０および操作部１２０に対応する。ここで、操作部１２０を用いて、情報処理装置１００内の各種アプリケーションが操作される例について説明する。【００３５】
利用者は、操作部１２０を操作することによって、ワープロソフトや、表計算ソフト、ブラウザ等を起動する。これにより、表示部１１０に、起動されたアプリケーションに対応するワープロソフトや、表計算ソフト、ブラウザ等が表示される。利用者は、表示部１１０にワープロソフト等が表示されている状態において、操作部１２０内のキー群１２０ａを操作することにより、文字列等の情報を入力する。【００３６】
また、利用者は、操作部１２０内の制御キー１２０ｂを操作することにより、入力モードを切り替えた後に、文字列等の情報を入力することもある。例えば、実施例１に係る情報処理装置１００のようにテンキーを有しないノートパソコンを用いる利用者は、ＮｕｍＬｏｃｋキーを操作することにより、キー「Ｊ」やキー「Ｋ」等に情報「１」や「２」等を割り当てることがある。かかる場合、利用者は、かかるキー「Ｊ」や「Ｋ」等をテンキーとして用いる。【００３７】
記憶部１３０は、各種情報を記憶する記憶デバイスであり、例えば、ＲＡＭ（Random  Access  Memory）やハードディスク装置である。実施例１における記憶部１３０は、現にキー群１２０ａに割り当てられている情報である「入力モード」に関する情報や、削除操作閾値、削除された文字などの情報などを記憶する。例えば、記憶部１３０は、入力モードとして、現在のＮｕｍＬｏｃｋが「ＯＮ」または「ＯＦＦ」のいずれの状態であるかを記憶する。また、例えば、記憶部１３０は、削除操作閾値として、「３」を記憶する。なお、利用者は、記憶部１３０に記憶されている削除操作閾値を変更することができる。【００３８】
制御部１４０は、情報処理装置１００による各種処理を司り、実施例１に係る情報処理装置１００に関連するものとして、判定部１４１と、変更部１４２とを有する。なお、図２では、情報処理装置１００による入力モード適正化処理に関する処理部のみを示している。【００３９】
判定部１４１は、ＮｕｍＬｏｃｋが「ＯＮ」である状態において、同一の情報に対して削除操作が連続して行われた場合に、ＮｕｍＬｏｃｋ「ＯＮ」が利用者によって所望されている入力モードでないと判定する。【００４０】
具体的には、判定部１４１は、ＮｕｍＬｏｃｋ「ＯＮ」である場合に、利用者によって数字などの情報が割り当てられているキーを用いて情報が入力された後に、かかる入力情報に対する削除操作が行われたか否かを監視する。そして、判定部１４１は、同一の情報に対して連続して削除操作が行われた場合に、かかる削除操作の回数が、記憶部１３０に記憶されている削除操作閾値よりも大きいか否かを判定する。削除操作の回数が削除操作閾値よりも大きい場合、判定部１４１は、ＮｕｍＬｏｃｋが「ＯＮ」である状態は利用者によって所望されていない入力モードであると判定する。【００４１】
なお、判定部１４１は、連続して削除された情報の一部が一致する場合に、「同一の情報」に対して連続して削除操作が行われたと判定してもよい。例えば、以下の順に文字列が連続して削除されたものとする。【００４２】
「６はｙ６４」
「６は」
「６はｙ」
「６」【００４３】
上記例において、連続して削除された文字列は、最初の文字が全て「６」である。このような場合、判定部１４１は、「同一の情報」に対して連続して削除操作が行われたと判定してもよい。これは、利用者が入力ミスに気付くタイミングが一定とは限らないからである。上記例を用いて説明すると、利用者は、「６はｙ６４」まで入力した時点で入力ミスに気付く場合や、「６は」まで入力した時点で入力ミスに気付く場合がある。すなわち、同一の文字列が何度も誤って入力される場合であっても、全く同一の文字列が入力されるとは限らない。【００４４】
ここで、判定部１４１による判定処理について、図３−１および図３−２に示す例を用いて具体的に説明する。図３−１は、ＮｕｍＬｏｃｋがＯＦＦである場合における入力情報の一例を示す図である。図３−２は、ＮｕｍＬｏｃｋがＯＮである場合における入力情報の一例を示す図である。なお、ここでは、削除操作閾値が「３」であるものとする。また、ＮｕｍＬｏｃｋが「ＯＮ」であるものとする。【００４５】
このような状態において、利用者は、図３−１に示すように、所定のワープロソフト等に文字列「おはよう。」を入力したいものとする。しかし、ここでは、ＮｕｍＬｏｃｋが「ＯＮ」であるので、利用者は、キー群１２０ａのキー「Ｏ」、「Ｈ」、「Ａ」、「Ｙ」、「Ｏ」、「Ｕ」、「．」を押下しても、「おはよう。」を入力することができない。具体的には、図３−２に示したように、ワープロソフトには、「６はｙ６４．」という文字列が入力される。なお、このとき入力される文字列は、情報処理装置１００の機能によって異なるため、「６はｙ６４．」とは限らない。しかし、ＮｕｍＬｏｃｋが「ＯＮ」である場合、キー「Ｏ」、「Ｈ」、「Ａ」、「Ｙ」、「Ｏ」、「Ｕ」、「．」を押下しても、一般に、「おはよう。」は入力されない。【００４６】
このような場合、利用者は、文字列「６はｙ６４．」を削除する。情報処理装置１００の操作に慣れている利用者であれば、ＮｕｍＬｏｃｋキーを操作して、入力モードをＮｕｍＬｏｃｋ「ＯＦＦ」に変更した後に、再度「おはよう。」を入力することができる。しかし、ＮｕｍＬｏｃｋキーの操作手法を熟知していない利用者は、ＮｕｍＬｏｃｋキーを操作することなく、再度、文字列「６はｙ６４．」、または、文字列「６はｙ６４．」の一部を入力して、かかる入力情報を削除する操作を繰り返すことが考えられる。【００４７】
このとき、判定部１４１は、削除された文字列「６はｙ６４．」を記憶部１３０に記憶しておく。そして、判定部１４１は、再度、文字列「６はｙ６４．」または文字列「６はｙ６４．」の一部が再度削除された場合に、削除された文字列を記憶部１３０に記憶しておく。このようにして、判定部１４１は、文字列「６はｙ６４．」または文字列「６はｙ６４．」の一部を４回連続して記憶部１３０に記憶した場合に、連続して削除操作された回数「４」が削除操作閾値「３」よりも大きいため、ＮｕｍＬｏｃｋが「ＯＮ」である状態は利用者によって所望されていない入力モードであると判定する。【００４８】
変更部１４２は、判定部１４１によって利用者に所望されていない入力モードであると判定された場合に、入力モードを変更する。具体的には、変更部１４２は、判定部１４１によって、ＮｕｍＬｏｃｋ「ＯＮ」である状態が利用者によって所望されていない入力モードであると判定された場合に、入力モードをＮｕｍＬｏｃｋ「ＯＦＦ」に変更する。【００４９】
なお、変更部１４２は、入力モードを変更した場合に、入力モードを変更した旨を利用者に通知してもよい。例えば、変更部１４２は、入力モードを変更した旨を通知するために、所定の画面を表示部１１０に表示制御したり、所定の音を出力したりしてもよい。ここで、図４に、入力モードを変更した旨を通知するための画面の一例を示す。変更部１４２は、入力モードを変更した場合に、図４に示すようなメッセージを含むポップアップ画面を表示部１１０に表示制御してもよい。これにより、変更部１４２は、入力モードが変更されたことを利用者に認識させることができる。【００５０】
次に、実施例１に係る情報処理装置１００による入力モード適正化処理の手順について説明する。図５は、実施例１に係る情報処理装置１００による入力モード適正化処理手順を示すフローチャートである。【００５１】
図５に示すように、情報処理装置１００の判定部１４１は、ＮｕｍＬｏｃｋが「ＯＮ」である状態において（ステップＳ１０１肯定）、数字などの情報が割り当てられているキー（例えば、キー「Ｋ」など）を用いて情報が入力された場合に（ステップＳ１０２肯定）、削除操作が行われたか否かを監視する。【００５２】
一方、判定部１４１は、ＮｕｍＬｏｃｋが「ＯＦＦ」である場合（ステップＳ１０１否定）、処理を終了する。また、判定部１４１は、ＮｕｍＬｏｃｋが「ＯＮ」である場合であっても（ステップＳ１０１肯定）、数字などの情報が割り当てられているキーを用いて情報が入力されなかった場合（ステップＳ１０２否定）や、削除操作を受け付けなかった場合（ステップＳ１０３否定）、ステップＳ１０２における処理に戻る。すなわち、判定部１４１は、再度、数字などの情報が割り当てられているキーを用いて情報が入力された場合に（ステップＳ１０２肯定）、削除操作が行われたか否かを監視する。【００５３】
削除操作が行われ（ステップＳ１０３肯定）、かつ、記憶部１３０に記憶されている削除操作閾値が「０」より大きい場合（ステップＳ１０４肯定）、判定部１４１は、削除された情報（文字や文字列など）を記憶部１３０に記憶する（ステップＳ１０５）。【００５４】
削除された情報と、前回削除された情報とが一致しない場合（ステップＳ１０６否定）、判定部１４１は、前述したステップＳ１０２における処理に戻る。具体的には、判定部１４１は、数字などの情報が割り当てられているキーを用いて情報が入力された場合に（ステップＳ１０２肯定）、削除操作が行われたか否かを監視する。【００５５】
一方、削除された情報と、前回削除された情報とが一致する場合（ステップＳ１０６肯定）、判定部１４１は、かかる情報に対して連続して削除操作された回数が削除操作閾値よりも大きいか否かを判定する。【００５６】
削除操作された回数が削除操作閾値よりも大きい場合（ステップＳ１０７肯定）、判定部１４１は、ＮｕｍＬｏｃｋ「ＯＮ」が利用者によって所望されている入力モードでないと判定する。続いて、変更部１４２は、入力モードをＮｕｍＬｏｃｋ「ＯＦＦ」に変更する（ステップＳ１０８）。このとき、変更部１４２は、入力モードを変更した旨を通知するために、図４に示すような画面を表示部１１０に表示制御したり、所定の音を出力したりしてもよい。【００５７】
一方、削除操作された回数が削除操作閾値以下である場合（ステップＳ１０７否定）、判定部１４１は、前述したステップＳ１０２における処理に戻り、数字などの情報が割り当てられているキーを用いて情報が入力された場合に（ステップＳ１０２肯定）、削除操作が行われたか否かを監視する。【００５８】
なお、記憶部１３０に記憶されている削除操作閾値が「０」以下である場合（ステップＳ１０４否定）、判定部１４１は、ステップＳ１０５〜Ｓ１０７における処理を行うことなく、ＮｕｍＬｏｃｋ「ＯＮ」が利用者によって所望されている入力モードでないと判定する。そして、変更部１４２は、入力モードをＮｕｍＬｏｃｋ「ＯＦＦ」に変更する（ステップＳ１０８）。【００５９】
上述してきたように、実施例１に係る情報処理装置１００は、ＮｕｍＬｏｃｋが「ＯＮ」である状態において、同一の情報に対して削除操作が繰り返し行われた場合に、ＮｕｍＬｏｃｋを「ＯＦＦ」に変更する。これにより、情報処理装置１００は、入力モードを利用者が所望する状態に適正化することができる。その結果、情報処理装置１００は、利用者に意図する情報を入力させることができる。
【実施例２】
【００６０】
ところで、上記実施例１では、同一の情報に対して削除操作が繰り返し行われた場合に、自動的に入力モードを適正化する例を示したが、情報処理装置は、利用者に入力モードを変更するか否かを確認した後に、入力モードを適正化してもよい。そこで、実施例２では、利用者に入力モードを変更するか否かを確認した後に、ＮｕｍＬｏｃｋを「ＯＦＦ」に変更する情報処理装置の例について説明する。【００６１】
まず、実施例２に係る情報処理装置２００の構成について説明する。図６は、実施例２に係る情報処理装置２００の構成を示す図である。なお、ここでは、図２に示した構成部位と同様の機能を有する部位には同一符号を付すこととして、その詳細な説明を省略する。図６に示すように、情報処理装置２００は、図２に示した情報処理装置１００と比較して、制御部１４０の代わりに制御部２４０を有する。【００６２】
制御部２４０は、図２に示した制御部１４０と比較して、確認部２４１を新たに有する。また、制御部２４０は、制御部１４０と比較して、変更部１４２の代わりに、変更部２４２を有する。【００６３】
確認部２４１は、判定部１４１によって、ＮｕｍＬｏｃｋ「ＯＮ」である状態が利用者によって所望されていない入力モードであると判定された場合に、利用者に入力モードを変更するか否かを確認する。【００６４】
具体的には、確認部２４１は、入力モードを変更するか否かを確認するための画面（以下、「確認画面」という）を表示部１１０に表示制御して、ＮｕｍＬｏｃｋを「ＯＦＦ」にしてよいか確認する。そして、確認部２４１は、確認画面において、入力モードを変更する旨の操作を受け付けた場合に、入力モードを変更してもよいと判定する。一方、確認部２４１は、確認画面において、入力モードを変更しない旨の操作を受け付けた場合に、入力モードを変更してはならないと判定する。【００６５】
ここで、図７に、入力モードを変更するか否かを確認するための画面の一例を示す。図７に示すように、確認部２４１は、入力モードを変更するか否かを確認するためのメッセージを含むポップアップ画面を表示部１１０に表示制御する。例えば、図７に例示した画面において、「はい」を押下された場合、確認部２４１は、入力モードを変更してもよいと判定する。一方、確認部２４１は、図７に例示した画面において、「いいえ」を押下された場合に、入力モードを変更してはならないと判定する。【００６６】
変更部２４２は、確認部２４１によって、入力モードを変更してもよいと確認された場合に、ＮｕｍＬｏｃｋの入力モードを「ＯＦＦ」に変更する。図７に示した例を用いて説明すると、図７に例示した画面において、「はい」を押下された場合、変更部２４２は、ＮｕｍＬｏｃｋの入力モードを「ＯＦＦ」に変更する。一方、図７に例示した画面において、「いいえ」を押下された場合、変更部２４２は、ＮｕｍＬｏｃｋの入力モードを変更せずに「ＯＮ」のままにする。【００６７】
次に、実施例２に係る情報処理装置２００による入力モード適正化処理の手順について説明する。図８は、実施例２に係る情報処理装置２００による入力モード適正化処理手順を示すフローチャートである。なお、ここでは、図５に示した処理手順と同様の処理手順（ステップＳ２０１〜Ｓ２０６）については、説明を省略する。【００６８】
図８に示すように、情報処理装置２００の確認部２４１は、判定部１４１によって削除操作された回数が削除操作閾値よりも大きいと判定された場合（ステップＳ２０７肯定）、または、削除操作閾値が「０」以下である場合（ステップＳ２０４否定）、入力モードを変更するか否かを確認するための確認画面を表示部１１０に表示制御する（ステップＳ２０８）。【００６９】
そして、確認画面において入力モードを変更する旨の操作を受け付けた場合（ステップＳ２０９肯定）、変更部２４２は、ＮｕｍＬｏｃｋの入力モードを「ＯＦＦ」に変更する（ステップＳ２１０）。【００７０】
一方、確認画面において入力モードを変更しない旨の操作を受け付けた場合（ステップＳ２０９否定）、変更部２４２は、ＮｕｍＬｏｃｋの入力モードを変更せずに「ＯＮ」のままにする。そして、判定部１４１は、ステップＳ２０２における処理に戻り、再度、数字などの情報が割り当てられているキーを用いて情報が入力された場合に（ステップＳ２０２肯定）、削除操作が行われたか否かを監視する。【００７１】
上述してきたように、実施例２に係る情報処理装置２００は、ＮｕｍＬｏｃｋが「ＯＮ」である状態において、同一の情報に対して削除操作が繰り返し行われた場合に、利用者に対して入力モードを変更するか否かを確認する。そして、情報処理装置２００は、利用者から入力モードを変更する旨の操作を受け付けた場合に、ＮｕｍＬｏｃｋを「ＯＦＦ」に変更する。これにより、実施例２に係る情報処理装置２００は、利用者が入力モードを変更したい場合に、入力モードを利用者が所望する状態に適正化することができる。
【実施例３】
【００７２】
ところで、上記実施例１および２では、制御キーとしてＮｕｍＬｏｃｋキーを例に挙げて説明した。しかし、情報処理装置は、ＮｕｍＬｏｃｋキー以外の他の制御キーによって制御される入力モードを適正化することもできる。例えば、情報処理装置は、「ＣａｐｓＬｏｃｋキー」、「半角／全角漢字キー」、「カタカナひらがなローマ字キー」などの制御キーによって制御される入力モードを適正化することができる。そこで、実施例３では、ＮｕｍＬｏｃｋキー以外の他の制御キーによって制御される入力モードを適正化する情報処理装置３００の例について説明する。【００７３】
まず、ＣａｐｓＬｏｃｋキーを例に挙げて、実施例３に係る情報処理装置３００について説明する。なお、実施例３に係る情報処理装置３００の構成は、図２または図６に示した構成と同様である。図９−１は、ＣａｐｓＬｏｃｋがＯＦＦである場合における入力情報の一例を示す図である。図９−２は、ＣａｐｓＬｏｃｋがＯＮである場合における入力情報の一例を示す図である。【００７４】
例えば、図９−１に示すように、利用者は、所定のワープロソフト等に文字列「Good  morning.」を入力したいものとする。しかし、ＣａｐｓＬｏｃｋが「ＯＮ」である場合、利用者は、キー群１２０ａのキー「Ｇ」、「Ｏ」、「Ｏ」、・・・、「Ｉ」、「Ｎ」、「Ｇ」、「．」を押下しても、「Good  morning.」を入力することができない。具体的には、図９−２に示したように、ワープロソフトには、例えば、「gOOD  MORNING.」という文字列が入力される。【００７５】
そこで、情報処理装置３００は、ＣａｐｓＬｏｃｋが「ＯＮ」である状態において、同一の情報に対して削除操作が繰り返し行われた場合に、ＣａｐｓＬｏｃｋを「ＯＦＦ」に変更する。【００７６】
具体的には、情報処理装置３００は、ＣａｐｓＬｏｃｋが「ＯＮ」である状態において、所定の情報が入力された後に、かかる入力情報に対する削除操作が繰り返し行われた場合に、削除操作が行われた回数が削除操作閾値よりも大きいか否かを判定する。そして、削除操作が行われた回数が削除操作閾値よりも大きい場合に、情報処理装置３００は、ＣａｐｓＬｏｃｋを「ＯＦＦ」に変更する。【００７７】
なお、情報処理装置３００は、実施例１に係る情報処理装置１００のように、ＣａｐｓＬｏｃｋを「ＯＦＦ」にした後に、入力モードを変更した旨を通知するための画面を表示部１１０に表示制御したりしてもよい。例えば、情報処理装置３００は、図１０に示すようなメッセージを含むポップアップ画面を表示部１１０に表示制御してもよい。【００７８】
また、情報処理装置３００は、実施例２に係る情報処理装置２００のように、確認画面を表示部１１０に表示制御して、利用者に入力モードを変更するか否かを確認した後に、ＣａｐｓＬｏｃｋを「ＯＦＦ」に変更してもよい。例えば、情報処理装置３００は、図１１に示すような確認画面を表示部１１０に表示制御して、利用者に入力モードを変更するか否かを確認する。そして、情報処理装置３００は、かかる確認画面において、「はい」を押下された場合に、ＣａｐｓＬｏｃｋを「ＯＦＦ」に変更する。【００７９】
次に、実施例３に係る情報処理装置３００によるＣａｐｓＬｏｃｋの入力モード適正化処理の手順について説明する。図１２は、実施例３に係る情報処理装置３００によるＣａｐｓＬｏｃｋの入力モード適正化処理手順を示すフローチャートである。なお、図１２における情報処理装置３００は、実施例２に係る情報処理装置２００のように、利用者に入力モードを変更するか否かを確認した後に、入力モードを変更するものとする。【００８０】
図１２に示すように、情報処理装置３００の判定部１４１は、ＣａｐｓＬｏｃｋが「ＯＮ」である状態において（ステップＳ３０１肯定）、入力された情報に対して削除操作が行われたか否かを監視する。以下、ステップＳ３０２〜Ｓ３０６における処理手順は、それぞれ、図８に示したステップＳ２０３〜Ｓ２０７における処理手順と同様である。【００８１】
そして、情報処理装置３００の確認部２４１は、判定部１４１によって削除操作された回数が削除操作閾値よりも大きいと判定された場合（ステップＳ３０６肯定）、確認画面を表示部１１０に表示制御する（ステップＳ３０７）。【００８２】
そして、確認画面において入力モードを変更する旨の操作を受け付けた場合（ステップＳ３０８肯定）、変更部２４２は、ＣａｐｓＬｏｃｋの入力モードを「ＯＦＦ」に変更する（ステップＳ３０９）。【００８３】
上述してきたように、実施例３に係る情報処理装置３００は、ＣａｐｓＬｏｃｋが「ＯＮ」である状態において、削除操作が行われた場合に、ＣａｐｓＬｏｃｋを「ＯＦＦ」に変更する。これにより、実施例３に係る情報処理装置３００は、ＣａｐｓＬｏｃｋの入力モードを利用者が所望する状態に適正化することができる。【００８４】
なお、上記では、ＣａｐｓＬｏｃｋの入力モードを適正化する例について説明したが、冒頭に示したように、情報処理装置は、「半角／全角漢字キー」、「カタカナひらがなローマ字キー」などの制御キーによって制御される入力モードについても適正化することができる。【００８５】
以下に、「半角／全角漢字キー」、「カタカナひらがなローマ字キー」などの制御キーによって制御される入力モードについても適正化する処理について、フローチャートを用いて説明する。なお、以下では、情報処理装置３００は、実施例２に係る情報処理装置２００のように、利用者に入力モードを変更するか否かを確認した後に、入力モードを変更するものとする。【００８６】
まず、実施例３に係る情報処理装置３００による半角全角の入力モード適正化処理の手順について説明する。図１３は、実施例３に係る情報処理装置３００による半角全角の入力モード適正化処理手順を示すフローチャートである。なお、半角全角の入力モードは、半角／全角漢字キーによって制御される。【００８７】
図１３に示すように、情報処理装置３００の判定部１４１は、半角全角の入力モードが「半角入力」である状態において（ステップＳ４０１肯定）、入力された情報に対して削除操作が行われたか否かを監視する。以下、ステップＳ４０２〜Ｓ４０７における処理手順は、それぞれ、図１２に示したステップＳ３０２〜Ｓ３０７における処理手順と同様である。【００８８】
そして、確認画面において入力モードを変更する旨の操作を受け付けた場合（ステップＳ４０８肯定）、情報処理装置３００の変更部２４２は、半角全角の入力モードを「全角入力」に変更する（ステップＳ４０９）。【００８９】
次に、実施例３に係る情報処理装置３００による仮名の入力モード適正化処理の手順について説明する。図１４は、実施例３に係る情報処理装置３００による仮名の入力モード適正化処理手順を示すフローチャートである。なお、仮名の入力モードは、カタカナひらがなローマ字キーによって制御される。例えば、利用者は、Ａｌｔキーを押下した状態でカタカナひらがなローマ字キーを押下することによって、入力モードを「かな入力」または「ローマ字入力」のいずれかに変更する。【００９０】
図１４に示すように、情報処理装置３００の判定部１４１は、入力モードが「かな入力」である状態において（ステップＳ５０１肯定）、入力された情報に対して削除操作が行われたか否かを監視する。以下、ステップＳ５０２〜Ｓ５０７における処理手順は、それぞれ、図１２に示したステップＳ３０２〜Ｓ３０７における処理手順と同様である。【００９１】
そして、確認画面において入力モードを変更する旨の操作を受け付けた場合（ステップＳ５０８肯定）、情報処理装置３００の変更部２４２は、仮名の入力モードを「ローマ字入力」に変更する（ステップＳ５０９）。【００９２】
次に、実施例３に係る情報処理装置３００によるカタカナの入力モード適正化処理の手順について説明する。図１５は、実施例３に係る情報処理装置３００によるカタカナの入力モード適正化処理手順を示すフローチャートである。なお、カタカナの入力モードは、カタカナひらがなローマ字キーによって制御される。例えば、利用者は、入力モードが「かな入力」である場合に、Ｓｈｉｆｔキーを押下した状態でカタカナひらがなローマ字キーを押下することによって、入力モードを「ひらがな」または「カタカナ」のいずれかに変更する。【００９３】
図１５に示すように、情報処理装置３００の判定部１４１は、入力モードが「カタカナ」である状態において（ステップＳ６０１肯定）、入力された情報に対して削除操作が行われたか否かを監視する。以下、ステップＳ６０２〜Ｓ６０７における処理手順は、それぞれ、図１２に示したステップＳ３０２〜Ｓ３０７における処理手順と同様である。【００９４】
そして、確認画面において入力モードを変更する旨の操作を受け付けた場合（ステップＳ６０８肯定）、情報処理装置３００の変更部２４２は、仮名の入力モードを「ひらがな」に変更する（ステップＳ６０９）。【００９５】
このように、実施例３に係る情報処理装置３００は、「半角／全角漢字キー」、「カタカナひらがなローマ字キー」などの制御キーによって制御される入力モードについても適正化することができる。なお、上記は一例であって、情報処理装置３００は、例えば、「ＳｃｒｏｌｌＬｏｃｋキー」などの他の制御キーによって制御される入力モードについても適正化することができる。【００９６】
なお、図１２〜図１５における情報処理装置３００は、実施例１に係る情報処理装置１００のように、利用者に入力モードを変更するか否かを確認せずに、入力モードを変更してもよい。
【実施例４】
【００９７】
ところで、上記実施例１〜３において説明した情報処理装置１００、２００および３００は、上述した実施例１〜３以外にも、種々の異なる形態にて実施されてよい。そこで、実施例４では、本願に開示する情報処理装置１００等に含まれる他の実施例を説明する。【００９８】
［削除操作閾値］
上記実施例１〜３では、情報処理装置１００等が、記憶部１３０に記憶されている削除操作閾値を用いて、利用者が所望する入力モードになっているか否かを判定する例を示した。ここで、情報処理装置１００等は、記憶部１３０に記憶されている削除操作閾値を更新してもよい。【００９９】
例えば、情報処理装置１００等は、所定の期間内に何度も入力モード適正化処理を行った場合に、削除操作閾値を小さい値に更新してもよい。より具体的に説明すると、例えば、記憶部１３０に削除操作閾値「５」が記憶されているものとする。かかる状態において、所定の期間内（例えば、１日）に、利用者が何度も制御キーを誤って押下して、情報処理装置１００が、入力モード適正化処理を所定の回数（例えば、５回）以上行ったものとする。かかる場合、情報処理装置１００は、削除操作閾値を「５」より小さい値（例えば、「３」）に更新して、より早いタイミングで入力モード適正化処理を行うようにしてもよい。これは、何度も入力モード適正化処理を行わせる利用者は、制御キーの操作手法等を熟知していないと考えられるからである。すなわち、このような利用者に対しては、何度も削除操作を行わせることなく入力モード適正化処理を行ってもよいと考えられる。これにより、情報処理装置１００等は、制御キーの操作手法等を熟知していない利用者に用いられている場合に、より早いタイミングで入力モードを適正化することができるようになる。【０１００】
［確認画面］
上記実施例２および３では、入力モードを変更するか否かを確認するための確認画面を表示部１１０に表示制御する例を示した。ここで、情報処理装置２００等は、確認画面において、利用者から入力モードを変更する旨の操作を所定の回数以上連続して受けた場合には、確認画面を表示しないようにしてもよい。これは、確認画面において入力モードを変更する旨の操作を毎回行う利用者は、制御キーの操作手法等を熟知していないと考えられるからである。すなわち、このような利用者に対しては、確認画面において入力モードを変更する旨の確認をするまでもなく入力モード適正化処理を行ってもよいと考えられる。これにより、情報処理装置２００等は、利用者に確認作業を行わせることなく入力モードを適正化することができる。【０１０１】
［システム構成］
上記実施例１〜３では、制御キーの具体例を挙げて、かかる制御キーによって制御される入力モードを適正化する情報処理装置１００、２００および３００について説明した。しかし、１個の情報処理装置が、上述した情報処理装置１００、２００および３００が有する機能を有してもよい。かかる場合、情報処理装置の記憶部１３０は、制御キー毎に削除操作閾値を記憶してもよい。【０１０２】
［入力モード適正化プログラムを実行するコンピュータ］
上記実施例１〜３で説明した各種の処理は、あらかじめ用意されたプログラムをパーソナルコンピュータやワークステーションなどのコンピュータで実行することによって実現することができる。そこで、以下では、図１６を用いて、上記実施例１〜３と同様の機能を有する入力モード適正化プログラムを実行するコンピュータの一例を説明する。図１６は、入力モード適正化プログラムを実行するコンピュータ１０００を示す図である。【０１０３】
図１６に示すように、コンピュータ１０００は、各種演算処理を実行するＣＰＵ（Central  Processing  Unit）１０１０と、ユーザからの情報の入力を受け付けるキーボード１０２０およびタッチパッド１０３０と、各種情報を表示するディスプレイ１０４０と、記録媒体からプログラム等を読み取る媒体読取装置１０５０と、各種情報を一時記憶するＲＡＭ１０６０と、ハードディスク装置１０７０とをバス１０８０で接続して構成される。【０１０４】
そして、ハードディスク装置１０７０には、図２または図６に示した制御部１４０または２４０と同様の機能を有する入力モード適正化プログラム１０７１が記憶される。また、ハードディスク装置１０７０には、図２または図６に示した記憶部１３０に記憶される各種データに対応する入力モード適正化用データ１０７２が記憶される。なお、入力モード適正化用データ１０７２を、適宜分散させ、ネットワークを介して接続された他のコンピュータに記憶させておくこともできる。また、ＲＡＭ１０６０には、現にキーボード１０２０に割り当てられている情報である「入力モード」に関する情報である入力モードデータ１０６２が記憶される。【０１０５】
そして、ＣＰＵ１０１０が入力モード適正化プログラム１０７１をハードディスク装置１０７０から読み出してＲＡＭ１０６０に展開することにより、入力モード適正化プログラム１０７１は、入力モード適正化プロセス１０６１として機能するようになる。そして、入力モード適正化プロセス１０６１は、入力モード適正化用データ１０７２から読み出した情報等を適宜ＲＡＭ１０６０上の自身に割り当てられた領域に展開し、この展開したデータ、入力モードデータ１０６２等に基づいて各種データ処理を実行する。【０１０６】
なお、上記の入力モード適正化プログラム１０７１は、必ずしもハードディスク装置１０７０に格納されている必要はなく、ＣＤ−ＲＯＭ等の記憶媒体に記憶されたこのプログラムを、コンピュータ１０００が読み出して実行するようにしてもよい。また、公衆回線、インターネット、ＬＡＮ（Local  Area  Network）、ＷＡＮ（Wide  Area  Network）等を介してコンピュータ１０００に接続される他のコンピュータ（またはサーバ）等にこのプログラムを記憶させておき、コンピュータ１０００がこれらからプログラムを読み出して実行するようにしてもよい。
【図１】
2010082295.tif 000003
【図２】
2010082295.tif 000004
【図３−１】
2010082295.tif 000005
【図３−２】
2010082295.tif 000006
【図４】
2010082295.tif 000007
【図５】
2010082295.tif 000008
【図６】
2010082295.tif 000009
【図７】
2010082295.tif 000010
【図８】
2010082295.tif 000011
【図９−１】
2010082295.tif 000012
【図９−２】
2010082295.tif 000013
【図１０】
2010082295.tif 000014
【図１１】
2010082295.tif 000015
【図１２】
2010082295.tif 000016
【図１３】
2010082295.tif 000017
【図１４】
2010082295.tif 000018
【図１５】
2010082295.tif 000019
【図１６】
2010082295.tif 000020
【国際調査報告】
2010082295.tif 000021
2010082295.tif 000022